(57)【要約】カメラ外部のページ上へ、該カメラが該ページ上を横切るにつれて記憶済み画像を印刷することを可能にする内蔵プリンターをカメラが有している。このカメラは、紙格納または紙送り機構を設ける必要がないので、コンパクトかつ軽量にしておくことができる。
2005518157.tif 000002
【特許請求の範囲】
【請求項１】
デジタルカメラであって、
筐体と、
画像を取り込むようにされた画像センサーと、
前記画像センサーにより取り込まれた前記画像をデジタル方式で記憶するようにされたデジタル記憶装置と、
前記筐体内に配置され、前記デジタル記憶装置から前記取り込まれた画像に対応するデジタル情報を受け取るようにされ、前記カメラが媒体を横切るに従って、前記カメラの外部の前記媒体上に前記取り込まれた画像を印刷するようにされたプリンターと、を備えるデジタルカメラ。
【請求項２】
前記カメラがレンズをさらに備え、前記画像が前記レンズを介して前記画像センサーによって取り込まれる、請求項１のカメラ。
【請求項３】
前記プリンターが、ドロップオンデマンド・カラーインクジェット印刷ヘッドを備える、請求項１のカメラ。
【請求項４】
前記筐体は、前記印刷ヘッドと連通する着脱可能インク・カートリッジがその中に配置されている、請求項３のカメラ。
【請求項５】
前記インク・カートリッジがその中に収容される、弾性カラーを有する容器を、前記筐体が含んでおり、前記カートリッジは、前記カラーと係合するようにされたインク出口を含む、請求項４のプリンター。
【請求項６】
前記デジタル記憶装置が着脱可能メモリーカードを備える、請求項１のカメラ。
【請求項７】
前記メモリーカードが、前記カメラに電力を供給するための電池を収容および保持するようにされた一体形成電池ケースを有するシャシ内に格納される、請求項６のカメラ。
【請求項８】
前記カメラが前記媒体を横切るところの速度を検出するようにされた速度センサーをさらに備える、請求項１のカメラ。
【請求項９】
前記プリンターが、前記取り込まれた画像の忠実な再現を生成するために、前記カメラが前記媒体を横切る速度に比例する速度で前記プリンターがインクを前記媒体上に吐出するように、前記速度センサーと同期するようにされている、請求項８のカメラ。
【請求項１０】
前記速度センサーが、
円周方向に配置された複数のマークをその上に有する光学エンコーダー・ホイールと、
前記光学エンコーダー・ホイールが前記媒体と接触して転がるときに前記マークを検知するようにされた光学センサーと、を備える、請求項８のカメラ。
【発明の詳細な説明】
【発明の分野】
【０００１】
以下の発明は、デジタルカメラ技術に関する。本発明は、特には、排他的ではないが、内蔵プリンターを有するデジタルカメラに関する。そのようなプリンターは、固定印刷ヘッド方式を利用したドロップオンデマンド・プリンターであり得る。
【背景】
【０００２】
既知のデジタルカメラは、フロッピーディスクまたはメモリーカードのような、ある形の着脱可能なメモリー記憶装置を有している。このカメラからの画像を印刷するためには、そのような記憶装置内のデータを、周辺装置のプリンターが取り付けられ得るところのコンピューターへとアップロードしなければならない。
【０００３】
既知のデジタルカメラは、撮影された画像の「即座の」プリントアウトをそれにより可能とするところの手段を有していない。
【０００４】
既知のプリンター装置を単にカメラ本体に組み込むことでは、コンパクトで容易に持ち運び可能なカメラにはならないであろう。これは、従来技術のプリンターが、印刷媒体の供給品を内蔵しており、また、印刷媒体を、印刷ヘッドを通過させて移送し、印刷媒体上への印刷を実行するための印刷媒体送り機構を用いているからである。したがって、印刷媒体の供給品を有する既知のプリンターは、持ち運び可能なカメラにおいて望まれるであろうものよりも大きくかつ重いものである。
【同時係属出願】
【０００５】
本発明に関連するさまざまな方法、システムおよび装置が、本発明の出願人または譲受人によって本出願と同時に出願された下記の同時係属出願に開示されている。
AP39          AP43          AP44          AP46          AP47          AP48   
AP49          AP50          AP51          AP52          AP53          AP55   
AP58          AP60          AP61          AP62          AP63          AP64   
AP65          AP66          AP67          AP68          AP69          AP70   
AP71          AP77          AP78          AP79
これらの同時係属出願の開示は、相互参照のため本明細書に援用する。それぞれの出願は、暫定的にそのファイル・リファレンスで特定される。これは、入手可能となったときに、対応するＰＣＴ出願番号と取り替えられる。
【０００６】
［関連特許出願および特許］
US6,227,652          US6,213,588          US6,213,589          US6,231,163
US6,247,795          US6,394,581          US6,244,691          US6,257,704
US6,416,168          US6,220,694          US6,257,705          US6,247,794
US6,234,610          US6,247,793          US6,264,306          US6,241,342
US6,247,792          US6,264,307          US6,254,220          US6,234,611
US6,302,528          US6,283,582          US6,239,821          US6,338,547
US6,247,796          US09/113,122         US6,390,603          US6,362,843
US6,293,653          US6,312,107          US6,227,653          US6,234,609
US6,238,040          US6,188,415          US6,227,654          US6,209,989
US6,247,791          US6,336,710          US6,217,153          US6,416,167
US6,243,113          US6,283,581          US6,247,790          US6,260,953
US6,267,469          US6,273,544          US6,309,048          US6,420,196
US6,443,558          US09/422,892         US6,378,989          US09/425,420
US09/422,893         US09/609,140         US6,409,323          US6,281,912
US09/575,113         US6,318,920          US6,488,422          US09/693,644
US6,457,810          US6,485,135          US09/112,763,        US6,331,946
US6,246,970          US6,442,525          US09/505,951         US09/505,147
US09/505,952         US09/575,108         US09/575,109         US09/575,110
US09/607,985         US6,398,332          US6,394,573          US09/606,999 
US6,238,044          US6,425,661          US6,390,605          US6,322,195
US09/504,221         US6,480,089          US6,460,778          US6,305,788
US6,426,014          US6,364,453          US6,457,795          US09/556,219
US09/556,218         US6,315,399          US6,338,548          US09/575,190
US6,328,431          US6,328,425          US09/575,127         US6,383,833
US6,464,332          US6,390,591          US09/575,152         US6,328,417
US6,322,194          US09/575,177         US09/575,175         US6,417,757
US09/608,780         US6,428,139          US09/607,498         US09/693,079
US09/693,135         US6,428,142          US09/692,813         US09/693,319
US09/693,311         US6,439,908          US09/693,735         PCT/AU98/00550
PCT/AU00/00516       PCT/AU00/00517       PCT/AU00/00511       PCT/AU00/00754
PCT/AU00/00755       PCT/AU00/00756       PCT/AU00/00757       PCT/AU00/00095
PCT/AU00/00172       PCT/AU00/00338       PCT/AU00/00339       PCT/AU00/00340
PCT/AU00/00341       PCT/AU00/00581       PCT/AU00/00580       PCT/AU00/00582
PCT/AU00/00587       PCT/AU00/00588       PCT/AU00/00589       PCT/AU00/00583
PCT/AU00/00593       PCT/AU00/00590       PCT/AU00/00591       PCT/AU00/00592
PCT/AU00/00584       PCT/AU00/00585       PCT/AU00/00586       PCT/AU00/00749
PCT/AU00/00750       PCT/AU00/00751       PCT/AU00/00752       PCT/AU01/01332
PCT/AU01/01318       PCT/AU00/01513       PCT/AU00/01514       PCT/AU00/01515
PCT/AU00/01516       PCT/AU00/01517       PCT/AU00/01512       PCT/AU01/00502
PCT/AU02/01120       PCT/AU00/00333       PCT/AU01/00141       PCT/AU01/00139
PCT/AU01/00140       PCT/AU00/00753       PCT/AU01/01321       PCT/AU01/01322
PCT/AU01/01323       PCT/AU00/00594       PCT/AU00/00595       PCT/AU00/00596
PCT/AU00/00597       PCT/AU00/00598       PCT/AU00/00741       PCT/AU00/00742
【発明の開示】
【０００７】
本発明の第１の態様によると、デジタルカメラであって、
筐体と、
画像を取り込むようにされた画像センサーと、
前記画像センサーにより取り込まれた前記画像をデジタル方式で記憶するようにされたデジタル記憶装置と、
前記筐体内に配置され、前記デジタル記憶装置から前記取り込まれた画像に対応するデジタル情報を受け取るようにされ、前記カメラが媒体を横切るに従って、前記カメラの外部の媒体上に前記取り込まれた画像を印刷するようにされたプリンターと、を備えるデジタルカメラが開示されている。
【０００８】
好ましくは、前記カメラがレンズをさらに備え、前記画像が前記レンズを介して前記画像センサーによって取り込まれる。
【０００９】
好ましくは、前記プリンターが、ドロップオンデマンド・カラーインクジェット印刷ヘッドを備える。
【００１０】
好ましくは、前記筐体は、前記印刷ヘッドと連通する着脱可能インク・カートリッジがその中に配置されている。
【００１１】
好ましくは、前記インク・カートリッジがその中に収容される、弾性カラーを有する容器を、前記筐体が含んでおり、前記カートリッジは、前記カラーと係合するようにされたインク出口を含む。
【００１２】
好ましくは、前記デジタル記憶装置は着脱可能メモリーカードを備える。
【００１３】
好ましくは、前記メモリーカードは、前記カメラに電力を供給するための電池を収容および保持するようにされた一体形成電池ケースを有するシャシ内に格納される。
【００１４】
好ましくは、前記カメラが前記媒体を横切るところの速度を検出するようにされた速度センサーを、前記カメラがさらに備える。
【００１５】
好ましくは、前記プリンターが、前記取り込まれた画像の忠実な再現を生成するために、前記カメラが前記媒体を横切る速度に比例する速度で前記プリンターがインクを前記媒体上に吐出するように、前記速度センサーと同期するようにされている。
【００１６】
好ましくは、前記速度センサーが、
円周方向に配置された複数のマークをその上に有する光学エンコーダー・ホイールと、
前記光学エンコーダー・ホイールが前記媒体と接触して転がるときに前記マークを検知するようにされた光学センサーと、を備える。
【００１７】
本発明の好ましい形態を、添付の図面を参照して、ほんの一例として次に説明する。
【好適な実施形態の説明】
【００１８】
添付の図面の図１においては、ブランク印刷媒体２０を横切って、画像２２をその上に印刷するのに動かされているカメラ１０を示してある。この画像は、このカメラ筐体内のプリンターにより印刷されている。カメラ１０は、ユーザーが、印刷作動ボタン１４を押した後に、矢印２１で示される方向に動かす。このプリンターは、本願と同時に出願され「速度センサー付き手動可動プリンター（Manually moveable printer with speed sensor）」と題された（代理人事件番号ＡＰ４３）、前記の同時係属出願に開示されたものと同様の内部構成部品を備えることができる。
【００１９】
図２に示すように、カメラ１０は、ビューファインダー１１、フラッシュ装置１２、およびズームレンズ１３を含んでいる。ズームレンズ１３の操作には、ズームボタン１５を用いる。レンズ１３の傍らには、従来の方法でレンズ１３の焦点を自動的に合わせる役割を果たす一対のオートフォーカス赤外線レンズ４２がある。
【００２０】
デジタル画像は、撮影ボタン２４を作動させることで、カメラにより取り込まれる。利用可能なメモリーや他のデータが液晶表示装置２６上に表示され、またカメラ１０には、当技術分野で知られているように、様々な機能設定用のプログラム・ボタン２５が設けられている。
【００２１】
本カメラは、メモリーカード・ドア１６の後ろにメモリーカードを、また電池カバー１９の後ろにＣＲ２電池のような電池を、内蔵している。カード・イジェクト・ボタン２３を押し下げると同時に、メモリーカード・ドア１６の後からメモリーカードをイジェクトすることができる。
【００２２】
図３に示すように、カメラ本体はまた、着脱可能インク・カートリッジ２７を収容している。図３はまた、カメラのプリンターの外側形体を示している。カメラの背面と底面との間の遷移部には、傾斜面５１がある。印刷動作中、この面５１は、一枚のブランク媒体２０に実質的に平行に存在するように設計されている。一端では、光学エンコーダー・ホイール２９がその面から突出している。他方の端では、アイドラーホイール２８がその面から突出している。この光学エンコーダー・ホイールは、その上に円周方向に間隔を置いて配置された複数のマークと、それらのマークを検知するようにされた関連する光学センサーとを有している。カメラが印刷媒体を横切って動かされるに従い、光学エンコーダー・ホイールは印刷媒体上で転がり、光学センサーは、インクを適切な速度で印刷ヘッド３０から吐出させ、カメラにより取り込まれた画像の忠実な再現を生成することができるように、カメラが動かされているところの速度を検出する。アイドラーホイール２８は、光学エンコーダー・ホイールと同じ回転軸を有し、カメラが一直線に動くのに役立つ。光学エンコーダー・ホイール２９およびアイドラーホイール２８の動作のさらなる詳細は、「速度センサー付き手動可動プリンター（Manually moveable printer with speed sensor）」と題された（代理人事件番号ＡＰ４３）、前記の同時係属出願の中に見出すことができる。
【００２３】
光学エンコーダー・ホイール２９とアイドラーホイール２８との間には、印刷ヘッド３０が配置されている。これは、好ましくは、相互参照された特許出願中に記載されている「Ｍｅｍｊｅｔ」印刷ヘッドのような、写真幅一体構造ユニットである。
【００２４】
本カメラ組立体の分解斜視図を図４に示す。この組立体には、カメラおよび印刷エンジンの内部構成部品がその間に収容されるところの前部プラスチック成形品１７と後部プラスチック成形品１８とが含まれている。見られるように、フラッシュ装置１２は、ビューファインダー１１（図６参照）に対応付けられたビューファインダー成形品３１に近接して配置される。デジタル・ズームユニット３２は、レンズ１３に対応付けられており、またデジタル・ズームユニット３２が実装されるところの主プリント回路基板４０から信号と電力とを受け取る。当技術分野で知られているように、レンズ１３の後ろで、プリント回路基板４０に取り付けられているのは、画像をデジタル方式で取り込むようにされた電荷結合素子（ＣＣＤ）のような、画像センサー５５である。取り込まれると同時に、該取り込まれた画像に対応するデジタル情報がメモリーカード３８に記憶される。
【００２５】
ズーム作動ボタン１５は、撮影ボタン２４を押し下げると同時に写真が取られるときにフラッシュ装置１２に電流を流す役割を果たすコンデンサ４１と同様に、主プリント回路基板４０に電気的に接続されている。印刷ボタン１４は、主プリント回路基板に接続されている。主プリント回路基板からのデータは、フレキシブル・プリント回路基板３３を経て印刷ヘッド３０に中継される。
【００２６】
インクは、インク・カートリッジ２７からインクを受け入れるインク用コネクタ５２を経て印刷ヘッド３０のチップ３４へと送り出される。
【００２７】
メモリーカード・シャシ３９は、メモリーカード３８を収容する役割を果たす。このカードは、イジェクト・ボタン２３を押し下げることにより、シャシ３９からイジェクトすることができる。メモリーカード・シャシと一体で成形されているのは、電池３７を収容する電池ケース５３である。電池は、電池カバー１９で覆われる。後部成形品１８は、インク・カートリッジ２７がその中に収容、保持される容器５４を有している。インク・カートリッジ２７は、インク出口３５を含んでおり、該出口は、そこからのインクが該出口を経てインク用コネクタ５２と連通するところのものである。インク・カートリッジ２７はまた、カメラと通信する質問／応答（ＱＡ）チップ３６を含んでいる。一形態において、ＱＡチップは、インク・カートリッジを、カメラと共に使用するのに適しているものとして確認するとともに、カートリッジ内に残っているインクのタイプまたは質を示すという２つの目的に役立つものである。
【００２８】
図１１は、カメラ本体内の構成部品の代表的な内部配置を示している。見られるように、印刷ヘッド３０へのデータおよび電力は、主プリント回路基板４０からフレキシブル・プリント回路基板３３によって伝えられる。
【００２９】
インク・カートリッジ２７には、個々のインクがそれらの中に貯蔵されるところの４つの内部長手方向チャネルが組み込まれている。この実施形態においては、ブラックインク４５、イエローインク４６、シアンインク４３、およびマゼンタインク４４がある。これらは、インク用コネクタ５２（図４参照）を経て印刷ヘッド・ユニット３０に運ばれる。
【００３０】
図１２に見られるように、インク・カートリッジ２７は、その端部のうちの一方に形成されたスプリングキャッチ５０を有している。このスプリングキャッチは、インク出口３５を容器の他方の端部に配置された弾性カラー４７とシール係合させるように、容器５４内でカートリッジ２７にバイアスをかける。これらのカラー４７は、各インク出口３５と連通する各々の穴あき金属ピン４９を取り囲んでいる。チップ接触ブロック４８は、インク・カートリッジ２７の端部に配置されたＱＡチップ３６と通信する。
【００３１】
図１３には、メモリーカード・ドア１６が開いており、メモリーカード３８がメモリーカード・シャシ３９から取り外されている、カメラ１０が描かれている。
【００３２】
使用に際しては、デジタルカメラ１０を従来の方法で用いて、写真を撮影する。これらの写真は、後の使用のためにメモリーカードに記憶させることができ、または内蔵印刷装置を用いて直ちに印刷してもよい。メモリーカードに記憶された特定の画像を印刷したいときには、プログラム・ボタン２５を操作して印刷に先立って選択することができる。その後、印刷作動ボタン１４を押し下げ、それから、ユーザーがブランク印刷媒体２０を横切ってカメラを掃引し（図１に示すように）、その上に画像印刷を実行することができる。
【００３３】
当業者にとって明白な変形および置換が、本発明の範囲を逸脱するものとして考えられるべきではないということが理解されるべきである。例えば、様々な構成部品の多くの異なる内部構成を、本発明の全体的な趣旨および範囲から逸脱せずに選択することができる。例えば、カメラ本体には、２つではなく、４つのホイール（実質的にカメラ本体の一面にわたって延びる矩形の各コーナーに１つずつ）を設けることができる。この４つのホイールのうちの１つを光学エンコーダー・ホイールとすることができる。このようにして、カメラを、ページを横切る印刷手順中、ブランク・ページに対して直角配置させ得る。インク・カートリッジは、印刷ヘッドの傍らもしくは上方に配置させ得る、または特定の用途に応じて任意の他の内部構成で配置させ得る。
【図面の簡単な説明】
【００３４】
【図１】内蔵プリンターを有し、使用中、印刷媒体を横切って、画像をその上に印刷するカメラの斜視図である。
【図２】前記カメラの前方斜視図である。
【図３】前記カメラの後方斜視図である。
【図４】前記カメラの底側分解斜視図である。
【図５】前記カメラの平面図である。
【図６】前記カメラの正面図である。
【図７】前記カメラの右側面図である。
【図８】前記カメラの背面図である。
【図９】前記カメラの反転平面図である。
【図１０】前記カメラの左側面図である。
【図１１】図５のＸＩ−ＸＩで取った前記カメラの断面側面図である。
【図１２】前記カメラの後方斜視図であり、そこから取り外されたインク・カートリッジが示されている。
【図１３】前記カメラのさらなる後方斜視図であり、該カメラのメモリーカード・シャシから取り外されたメモリーカードが示されている。
【図１】
2005518157.tif 000003
【図２】
2005518157.tif 000004
【図３】
2005518157.tif 000005
【図４】
2005518157.tif 000006
【図５】
2005518157.tif 000007
【図６】
2005518157.tif 000008
【図７】
2005518157.tif 000009
【図８】
2005518157.tif 000010
【図９】
2005518157.tif 000011
【図１０】
2005518157.tif 000012
【図１１】
2005518157.tif 000013
【図１２】
2005518157.tif 000014
【図１３】
2005518157.tif 000015
【手続補正書】
【提出日】平成15年12月17日(2003.12.17)
【手続補正１】
【補正対象書類名】特許請求の範囲
【補正対象項目名】全文
【補正方法】変更
【補正の内容】
【特許請求の範囲】
【請求項１】
デジタルカメラであって、
筐体と、
画像を取り込むようにされた画像センサーと、
前記画像センサーにより取り込まれた前記画像をデジタル方式で記憶するようにされたデジタル記憶装置と、
前記筐体内に配置され、印刷ヘッドを有し、前記デジタル記憶装置から前記取り込まれた画像に対応するデジタル情報を受け取るようにされたプリンターと、
前記筐体内に配置するのに、および前記プリンターに取り外し可能に接続するのに適した交換可能インク・カートリッジと、を備え、
前記プリンターは、前記カメラが媒体を横切るに従って、前記カメラの外部の前記媒体上に前記取り込まれた画像を印刷するようにされているデジタルカメラ。
【請求項２】
前記カメラがレンズをさらに備え、前記画像が前記レンズを介して前記画像センサーによって取り込まれる、請求項１のカメラ。
【請求項３】
前記プリンターが、ドロップオンデマンド・カラーインクジェット印刷ヘッドを備える、請求項１のカメラ。
【請求項４】
前記インク・カートリッジがその中に収容される、弾性カラーを有する容器を、前記筐体が含んでおり、前記カートリッジは、前記カラーと係合するようにされたインク出口を含む、請求項１のプリンター。
【請求項５】
前記デジタル記憶装置が着脱可能メモリーカードを備える、請求項１のカメラ。
【請求項６】
前記メモリーカードが、前記カメラに電力を供給するための電池を収容および保持するようにされた一体形成電池ケースを有するシャシ内に格納される、請求項５のカメラ。
【請求項７】
前記カメラが前記媒体を横切るところの速度を検出するようにされた速度センサーをさらに備える、請求項１のカメラ。
【請求項８】
前記プリンターが、前記取り込まれた画像の忠実な再現を生成するために、前記カメラが前記媒体を横切る速度に比例する速度で前記プリンターがインクを前記媒体上に吐出するように、前記速度センサーと同期するようにされている、請求項７のカメラ。
【請求項９】
前記速度センサーが、
円周方向に配置された複数のマークをその上に有する光学エンコーダー・ホイールと、
前記光学エンコーダー・ホイールが前記媒体と接触して転がるときに前記マークを検知するようにされた光学センサーと、を備える、請求項７のカメラ。
【手続補正２】
【補正対象書類名】明細書
【補正対象項目名】０００５
【補正方法】変更
【補正の内容】
【０００５】
本発明に関連するさまざまな方法、システムおよび装置が、２００３年２月１２に本発明の出願人または譲受人によって出願された下記の同時係属出願に開示されている。
PCT/AU03/00154PCT/AU03/00151PCT/AU03/00150PCT/AU03/00145
PCT/AU03/00153PCT/AU03/00152PCT/AU03/00168PCT/AU03/00169
PCT/AU03/00170PCT/AU03/00162PCT/AU03/00146PCT/AU03/00159
PCT/AU03/00171PCT/AU03/00149PCT/AU03/00167PCT/AU03/00158
PCT/AU03/00147PCT/AU03/00166PCT/AU03/00164PCT/AU03/00163
PCT/AU03/00165PCT/AU03/00160PCT/AU03/00157PCT/AU03/00148
PCT/AU03/00156PCT/AU03/00155
これらの同時係属出願の開示は、相互参照のため本明細書に援用する。
【手続補正３】
【補正対象書類名】明細書
【補正対象項目名】０００７
【補正方法】変更
【補正の内容】
【０００７】
本発明の第１の態様によると、デジタルカメラであって、
デジタルカメラであって、
筐体と、
画像を取り込むようにされた画像センサーと、
前記画像センサーにより取り込まれた前記画像をデジタル方式で記憶するようにされたデジタル記憶装置と、
前記筐体内に配置され、印刷ヘッドを有し、前記デジタル記憶装置から前記取り込まれた画像に対応するデジタル情報を受け取るようにされたプリンターと、
前記筐体内に配置するのに、および前記プリンターに取り外し可能に接続するのに適した交換可能インク・カートリッジと、を備え、
前記プリンターは、前記カメラが媒体を横切るに従って、前記カメラの外部の前記媒体上に前記取り込まれた画像を印刷するようにされているデジタルカメラが開示されている。
【手続補正４】
【補正対象書類名】明細書
【補正対象項目名】００１０
【補正方法】削除
【補正の内容】
【手続補正５】
【補正対象書類名】明細書
【補正対象項目名】００２７
【補正方法】変更
【補正の内容】
【００２７】
メモリーカード・シャシ３９は、メモリーカード３８を収容する役割を果たす。このカードは、イジェクト・ボタン２３を押し下げることにより、シャシ３９からイジェクトすることができる。メモリーカード・シャシと一体で成形されているのは、電池３７を収容する電池ケース５３である。電池は、電池カバー１９で覆われる。後部成形品１８は、インク・カートリッジ２７がその中に収容、保持される容器５４を有している。インク・カートリッジ２７は、インク出口３５を含んでおり、該出口は、そこからのインクが該出口を経てインク用コネクタ５２と連通するところのものである。インク・カートリッジ２７はまた、カメラと通信する品質保証（ＱＡ）チップ３６を含んでいる。一形態において、ＱＡチップは、インク・カートリッジを、カメラと共に使用するのに適しているものとして確認するとともに、カートリッジ内に残っているインクのタイプまたは質を示すという２つの目的に役立つものである。


【国際調査報告】
2005518157.tif 000016
2005518157.tif 000017